(57)【要約】【課題】蓋部の開閉動作に応答して可聴音を発生することが可能な携帯機器を提供する。【解決手段】ＣＰＵ１は、フリップ開閉検出部１１から出力されるフリップ開検出信号によってフリップ開閉動作を検知する。ＣＰＵ１は、フリップ開閉動作の検知に応答して、予めユーザが指定した効果音データに対応するデータ先頭アドレスを不揮発メモリ３ｂの所定領域から読出す。ＣＰＵ１は、読出されたデータ先頭アドレスに基づいて、ＲＯＭ９から対応する効果音データを読出す。読出された効果音データは内部バスを通じて音声出力部６に伝達され、音声出力部６は、与えられた効果音データをＤ／Ａ変換して、フリップ音を発生する。【選択図】図２
2006148983.tif 000002
【特許請求の範囲】
【請求項１】
外部からの指示を入力する操作部を有する本体部と、
この本体部に対し開閉可能に設けられ、閉時には前記操作部の少なくとも一部を覆う蓋部と、
前記本体部および前記蓋部の開動作および閉動作の少なくとも一方を検知する開閉検出部と、
可聴音データを保持する記憶部と、
前記開閉検出部の検知動作時、前記記憶部に保持された可聴音データを読出す制御部と、
この制御部の読出した可聴音データを可聴音として出力する可聴音出力部とを備える、携帯機器。
【請求項２】
外部からの指示を入力する操作部を有する本体部と、
この本体部に対し開閉可能に設けられた蓋部と、
前記本体部および前記蓋部の開動作および閉動作の少なくとも一方を検知する開閉検出部と、
可聴音データを保持する記憶部と、
内部状態が予め定められた所定の警告条件に該当するか否かを判定し、当該判定結果に基づいて前記記憶部に保持された可聴音データを読出す制御部と、
この制御部の読出した可聴音データを可聴音として出力する可聴音出力部とを備える、携帯機器。
【請求項３】
内部回路群に駆動電力を供給するバッテリー部をさらに備え、
前記制御部は、バッテリー部の出力電圧レベルが所定の電圧レベル以下であるときに、警告条件に該当すると判断する、請求項２記載の携帯機器。
【請求項４】
前記記憶部は、前記可聴音データを複数種類記憶し、
前記制御部は、前記記憶部の可聴音データから１つを選択して読出す、請求項１または２に記載の携帯機器。
【請求項５】
前記記憶部は、可聴音データを書込可能な領域を含む、請求項１または２に記載の携帯機器。
【請求項６】
前記開閉検出部の検知動作時であっても、前記可聴音出力部の可聴音出力を強制的に中止する強制停止手段をさらに備える、請求項１または２に記載の携帯機器。
【請求項７】
着信音の出力を停止する特定の動作モードが指定されているときには、前記開閉検出部の検知動作時であっても、前記可聴音出力部の可聴音出力を強制的に中止する選択起動手段をさらに備える、請求項１または２に記載の携帯機器。
【請求項８】
前記特定の動作モードは、着信を振動で外部に通知するモードである、請求項７記載の携帯機器。
【請求項９】
前記蓋部はフリップである、請求項１または２に記載の携帯機器。
【請求項１０】
折りたたみ収納可能な複数の部分に分割されており、
前記本体部および前記蓋部は前記複数の部分のうちの１つである、請求項１または２に記載の携帯機器。
【発明の詳細な説明】
【技術分野】
【０００１】
この発明は携帯機器に関し、より特定的には本体の少なくとも一部をカバーするための蓋部を備えた携帯電話機に関する。
【背景技術】
【０００２】
近年、携帯電話機に代表される無線電話装置が、利便性の高さの点から広く利用されるようになっている。これらの無線電話装置は、携帯機器としての携帯性が重視されており、小型軽量化が進んでいる。これに対応して、携帯時、すなわち無線電話装置の不使用時における誤動作防止のために、無線電話装置表面に設けられた操作部をカバーするための蓋部を設ける構成を採用する機種も存在する。
【０００３】
このように構成される蓋部の代表例としては、フリップと呼ばれる、操作部のための薄いカバーが挙げられる。当該フリップは、回転機構によって開閉可能な構成とされることが一般的である。また、無線電話装置本体そのものを回転機構を介して複数の部分に分割し、折りたたみ収納が可能な構成とした無線電話装置も、同様のカテゴリに分類される。
【特許文献１】特開平６−２９１８２０号公報
【発明の開示】
【発明が解決しようとする課題】
【０００４】
このような蓋部を備えた無線電話装置等の携帯機器においては、通話時等の使用時においては、必然的にこの蓋部を開ける動作が必要となり、通話終了等の使用後においては、蓋部を閉める動作が実行される。したがって、無線電話装置の使用と密着不可分である蓋部の開閉動作に応じて、ユーザに何らかの情報を発信することができれば、ユーザの利便性向上に寄与できるものと考えられる。
【０００５】
この発明の目的は、蓋部の開閉動作に応じて、可聴音情報を出力することが可能な携帯機器を提供することである。
【課題を解決するための手段】
【０００６】
この発明に係る携帯機器は、外部からの指示を入力する操作部を有する本体部と、この本体部に対し開閉可能に設けられ、閉時には操作部の少なくとも一部を覆う蓋部と、本体部および蓋部の開動作および閉動作の少なくとも一方を検知する開閉検出部と、可聴音データを保持する記憶部と、開閉検出部の検知動作時に記憶部に保持された可聴音データを読出す制御部と、この制御部の読出した可聴音データを可聴音として出力する可聴音出力部とを備えるものである。
【０００７】
また、外部からの指示を入力する操作部を有する本体部と、この本体部に対し開閉可能に設けられた蓋部と、本体部および蓋部の開動作および閉動作の少なくとも一方を検知する開閉検出部と、可聴音データを保持する記憶部と、内部状態が予め定められた所定の警告条件に該当するか否かを判定し、当該判定結果に基づいて記憶部に保持された可聴音データを読出す制御部と、この制御部の読出した可聴音データを可聴音として出力する可聴音出力部とを備えるものである。
【発明の効果】
【０００８】
この発明による携帯機器は、蓋部の開／閉動作に応答して効果音等の可聴音を出力できるので、娯楽性の向上を図ることができる。
【０００９】
また、発明による携帯機器は、蓋部の開／閉動作に応答して、携帯機器の所定の内部状態が予め定められた警告条件に該当しているかどうかを自動的に判定し、判定結果に応じて予め記憶された可聴音を出力できるので、娯楽性が向上するとともにユーザの利便性を向上することができる。
【発明を実施するための最良の形態】
【００１０】
以下において、本発明の実施の形態について図面を参照して詳しく説明する。
なお、図中における同一符号は同一または相当部分を示すものとし、詳細な説明は繰返さないものとする。
【００１１】
［実施の形態１］
図１は、本発明の実施の形態に従う携帯機器である携帯電話機１００の外観を示す概略図である。
【００１２】
図１を参照して、携帯電話機１００は、アンテナ部４と、表示部８と、操作部１０と、フリップ部２０とを備える。携帯電話機１００は、蓋部の代表例として、フリップ部２０を備えるものとする。
【００１３】
アンテナ４は、伸縮自在な構成となっており、通話時には伸長されて、たとえば他の携帯電話機から発せられた無線信号を受信する。表示部８は、たとえば液晶表示装置で構成され、携帯電話機ユーザに対して、文字データ・図形データ等による視覚的な情報を与えることが可能である。
【００１４】
操作部１０は、数字キーやカーソルキー等で構成され、ユーザからの操作指示が入力される。フリップ部２０は、開閉可能な構造を有しており、携帯電話機１００の不使用時においては閉められた状態となって、操作部１０に対する誤操作入力を防止する。
【００１５】
携帯電話機１００は、さらに、フリップ開閉検出スイッチ２２と、フリップ開閉検出スイッチ用突起部２１とを備える。
【００１６】
フリップ閉時においては、フリップ開閉検出スイッチ用突起部２１がフリップ開閉検出スイッチ２２に押し付けられて、フリップ開閉検出スイッチ２２は外力を受ける。一方、フリップ開時においては、フリップ開閉検出スイッチ２２はフリップ開閉検出スイッチ用突起部２１から外力を受けることはない。このため、フリップ開閉検出スイッチ２２における接点状態は、フリップ開時とフリップ閉時において異なる。したがって、フリップ開閉検出スイッチ２２の接点状態に応答した電気信号を生成すれば、フリップ開／閉のいずれであるかを検知する電気信号を生成することができる。また、当該電気信号の信号レベルの遷移タイミングを検出することによって、フリップの開動作および閉動作を検知できる。
【００１７】
なお、無線電話装置の蓋開閉検出機構については、たとえば特開平６−２９１８２０号公報に詳細な構成が開示されている。
【００１８】
携帯電話機１００は、フリップの開動作および閉動作の両方もしくは一方に応答して、可聴音を出力する。出力される可聴音（以下、単にフリップ音とも称する）には、種々のものを採用することが可能であるが、実施の形態１においては、ユーザが予め選択した効果音を出力する構成について説明する。
【００１９】
図２は、携帯電話機１００の構成を示す概略ブロック図である。
図２を参照して、携帯電話機１００は、全体動作を制御するためのＣＰＵ１と、ユーザがフリップ音を選択するためのフリップ音設定部２と、読出および書込可能なメモリであるＲＡＭ（Random Access Memory）３と、他の携帯電話機等からの無線信号を受けるアンテナ４と、音声情報等の可聴音を出力するための音声出力部６とを備える。携帯電話機１００においては、フリップ音は音声出力部６から出力される。音声出力部６は、Ｄ／Ａ変換を行なう機能も有しており、アナログ信号およびディジタル信号の両方に対応して、可聴音を出力可能である。
【００２０】
携帯電話機１００は、さらに、ユーザの音声を入力するための音声入力部７と、ユーザに視覚的な情報を出力するための表示部８と、主に出荷時に書込まれたデータを不揮発的に記憶するための読出専用メモリであるＲＯＭ（Read Only Memory）９と、ユーザからの操作指示を入力するための操作部１０と、フリップ開閉検出スイッチ２２の接点状態に応じて、フリップ開動作およびフリップ閉動作にそれぞれ応答するフリップ開検出信号およびフリップ閉検出信号を出力するフリップ開閉検出部１１とを備える。
【００２１】
ＲＡＭ３は、電源オフ時においては記憶情報が揮発するワークメモリ３ａと、電源オフ時においても、記憶情報を保持し続ける不揮発メモリ３ｂとを含む。
【００２２】
携帯電話機１００は、さらに、携帯電話機１００の内部回路群に駆動電力を供給する電池ＣＬと、電池ＣＬの電圧レベルを検出する電池電圧検出部１２と、現在時刻の通知機能や所定のトリガ信号に応答したストップウォッチ機能を有する計時部１３とを備える。
【００２３】
図３は、フリップ音指定機能を説明するフローチャートである。
図３を参照して、表示部８や操作部１０からのユーザ入力によって、ＣＰＵ１がフリップ音設定部２に対して、フリップ音指定機能の起動を指示する（ステップＳ１００）。フリップ音指定機能が起動されると、フリップ音設定部２は、ユーザが選択可能な効果音のリストを表示部８に表示する。ユーザは、表示された効果音のリストに基づいて、フリップ音として鳴動させる効果音を表示部８や操作部１０による入力によって指定する（ステップＳ１１０）。
【００２４】
フリップ音設定部２は、ユーザによって指定された効果音のデータナンバーと当該効果音が格納されているＲＯＭ内のデータ先頭アドレスとを不揮発メモリ３ｂの予め指定された所定領域に格納する（ステップＳ１２０）。これにより、フリップ音として効果音を鳴動する場合のフリップ音指定機能が終了する。
【００２５】
図４は、フリップ開閉動作時におけるＣＰＵ１の動作を説明するフローチャートである。
【００２６】
図４を参照して、ＣＰＵ１は、フリップ開閉検出部１１から出力されるフリップ開検出信号によってフリップ開動作を検知する（Ｓ１５０）。ＣＰＵ１は、フリップ開動作の検知に応答して、フリップ音指定機能において予め指定された効果音を出力するためのステップ群Ｓ２００を実行する。
【００２７】
ステップ群Ｓ２００は、ユーザによって指定された効果音データに対応するデータ先頭アドレスを不揮発メモリ３ｂの所定領域から読出すステップ（ステップＳ２１０）と、読出されたデータ先頭アドレスに基づいて、ＲＯＭ９から効果音データを読出すステップ（ステップＳ２２０）とを含む。読出された効果音データは、内部バスを通じて音声出力部６に伝達され、音声出力部６は、与えられた効果音データをＤ／Ａ変換して、フリップ音を出力する。
【００２８】
このような構成とすることにより、フリップ開動作に応答して、予めユーザが指定した効果音を出力することができる。したがって、携帯電話機１００に新たな娯楽性を具備させることができる。この効果音は、ユーザが自由に選択できるため、他者との差別化を図りたいというユーザニーズにも応えることができる。
【００２９】
また、効果音データの選択肢を出荷時にメーカがＲＯＭ９に予め格納したものにみに限るのではでなく、不揮発メモリ３ｂ内に特別に設けられた領域内に、ユーザが新たに入力した効果音データについても、フリップ音設定部２によって表示される選択リストに加えることとすれば、ユーザニーズにさらに適切に応えることが可能となる。
【００３０】
なお、同様の手順をフリップ閉動作に応答して起動することによって、フリップ閉動作に応答してフリップ音を出力できる。フリップ開動作／閉動作にそれぞれ応答するフリップ音の出力は、ユーザによって選択できるようにしてもよい。
【００３１】
さらに、マナーモードやバイブ着信モードのような、着信音の発生を停止するような特定の動作モードがユーザによって別途指定されている場合においては、フリップ音の発生を自動的に停止することとすれば、ユーザの利便性をさらに向上できる。
【００３２】
［実施の形態２］
実施の形態１においては、フリップ音が、ユーザが予め指定した効果音である構成について説明した。実施の形態２においては、ユーザの携帯電話機の使用に際しては、フリップ開閉動作が密着不可分に伴われることに着目して、フリップ音によって携帯電話機の内部状態に応じた警告を発することが可能なアラーム機能をさらに備える構成を示す。
【００３３】
図５は、本発明の実施の形態２に従うＣＰＵ１のフリップ開動作時における動作を説明するフローチャートである。
【００３４】
図５を参照して、ＣＰＵ１がフリップ開閉検出部１１からのフリップ開検出信号に応答してフリップの開動作を検知すると（ステップＳ１５０）、アラーム機能を実行するためのステップ群Ｓ２５０が実行される。図５においては、アラーム機能の一例として、電池電圧のチェックによって電池残量を警告する電池残量アラーム機能について説明する。
【００３５】
フリップ開動作が検知されると（ステップＳ１５０）、ＣＰＵ１は、アラーム機能の対象となる携帯電話機の内部状態が、警告条件に該当しているかどうかを判定する（ステップＳ２６０）。
【００３６】
電池残量アラーム機能においては、電池電圧検出部１２によって検出された電池ＣＬの電池電圧が、予め設定されたアラームしきい値以下であるかどうかが判定される。
【００３７】
ステップＳ２６０での比較結果に基づいて、アラーム機能の対象となる内部状態が警告条件に該当するとき、たとえば電池電圧がアラームしきい値電圧以下である場合には、ユーザに警告を発するために、アラーム用効果音データの先頭アドレスが指定される（ステップＳ２７０）。アラーム用効果音データは予めＲＯＭ９内に格納し、対応するデータ先頭アドレスはＣＰＵ１内にプログラムしておけばよい。あるいは、アラーム用効果音データについても、図３で示したのと同様の手順に従ってフリップ音設定部２によってユーザ選択が可能な構成とすることもできる。
【００３８】
一方、アラーム機能の対象となる内部状態が警告条件に該当しない場合、たとえば電池電圧がアラームしきい値電圧よりも大きい場合においては、ステップＳ２７０に代えて、図４で説明したステップＳ２１０が実行される。この場合には、ユーザによって指定された通常の効果音を出力するために、ユーザが指定した効果音に対応する、不揮発性メモリ３ｂの所定領域に格納されているデータ先頭アドレスが指定される。
【００３９】
ステップＳ２１０およびＳ２７０のいずれかによって指定されたデータ先頭アドレスに基づいて効果音データを読出すことによって、警告条件の判定結果に応じて、ユーザ指定の通常効果音もしくはアラーム用効果音のいずれか一方に対応する効果音データを読出すことできる（ステップＳ２２０）。ＣＰＵ１によって読出された効果音データは、実施の形態１の場合と同様に、音声出力部６に送出されて、フリップ音が発生される。
【００４０】
このような構成とすることにより、たとえば、通話動作のトリガとなるフリップ開動作時ごとに、電池残量をチェックして必要に応じてユーザに警告を発することが可能となる。最近のように、携帯電話機の省電力化が進み、充電が必要な周期が長期化している状況においては、このような電池残量アラーム機能によってユーザの利便性を向上させることができる。
【００４１】
同様に、電池残量以外の他の内部状態に対しても、同様の判定条件を適宜決定し、ステップＳ２６０での判定結果に基づいて、ユーザ指定の通常効果音もしくはアラーム用効果音のいずれか一方をフリップ音として発生する構成とすれば、同様の効果を得ることができる。
【００４２】
このように、フリップ開動作に応答して鳴動されるフリップ音の内容によって、携帯電話機の内部状態に応じた警告をユーザが感知できるようになる。
【００４３】
なお、同様の手順をフリップ閉動作に応答して起動することも可能である。フリップ開動作／閉動作にそれぞれ応答するアラーム機能の実行は、ユーザによって選択できるようにしてもよい。さらに、実施の形態１と同様に、マナーモードやバイブ着信モードのような特定の動作モードが別途指定されている場合には、フリップ音の発生そのものを自動的に停止してもよい。
【００４４】
［実施の形態３］
実施の形態３においては、フリップ音についてのモード設定機能について説明する。
【００４５】
図６は、フリップ音のモード設定機能の構成の一例を示す概念図である。
図６を参照して、フリップ開（あるいは閉）動作時におけるフリップ音モードの設定に関しては、階層的に上位からＯＮ／ＯＦＦ設定、モード設定および機能選択設定が存在する。
【００４６】
ＯＮ／ＯＦＦ設定においては、フリップ音の発生そのものの入／切が設定され、フリップ音の発生を完全に停止するためのＯＦＦモードと、フリップ開閉動作に応答して、無条件にフリップ音を出力する強制ＯＮモードと、携帯電話機の動作モードがいわゆるマナーモードやバイブ着信モードのような、着信音の発生を強制的に停止させる特定の動作モードに指定されている場合にはフリップ音の発生を自動的に停止し、それ以外の場合にはフリップ音を発生する自動ＯＮモードとのいずれか１つが選択される。
【００４７】
モード設定においては、実施の形態１で説明した効果音モードと実施の形態２で説明したアラーム機能を含む機能モードとのいずれか一方が選択される。機能モードを選択した場合には、さらに複数のアラーム機能および情報通知機能のうちから１つの機能が選択される。アラーム機能については、実施の形態２で説明したとおりであるので詳細な説明は繰返さない。
【００４８】
情報通知機能は、フリップ開閉動作に応答して、携帯電話機の内部状態に関する情報を出力するための機能である。たとえば、計時部１３からの出力に基づいた、現在時刻の通知や、フリップ閉動作に応答した通話時間を通知等を行なうことができる。
【００４９】
図７は、フリップ音モード設定機能を説明するためのフローチャートである。
フリップ音モード設定機能は、フリップ音設定部２によって、図３で説明したフリップ音指定機能と選択的に実行される構成とすればよい。
【００５０】
図７を参照して、表示部８および操作部１０に対するユーザからの入力によって、ＣＰＵ１はフリップ音設定部２に対してフリップ音モード設定機能の起動を指示する（ステップＳ３００）。フリップ音設定部２は、表示部８にＯＮ／ＯＦＦ設定を選択するための表示を表示部８に行ない、ユーザは、操作部１０に対する入力によって、ＯＮ／ＯＦＦ設定をいずれかのモードに指定する（ステップＳ３１０）。引続き、効果音モードおよび機能モードのいずれか一方を指定するモード設定が、同様に実行される（ステップＳ３２０）。ユーザが機能モードを選択した場合においてはさらに、アラーム機能および情報通知機能に分類される複数の機能のうちのいずれか１個を選択する（ステップＳ３４０）。これにより、フリップ音モード設定機能が終了する。一方、ユーザがモード設定において、効果音モードを設定した場合には、これ以上選択を行なう必要がないため、この時点でフリップ音モード設定機能は終了する。
【００５１】
なお、図６および図７に示したフリップ音モード設定は、フリップ開動作およびフリップ閉動作のそれぞれに応答して設定可能な構成としてもよい。また、フリップ音モード設定のうちの一部のみをユーザ選択の対象として、残りについては、初期設定のままで変更できない構成とすることも可能である。
【００５２】
図８は、本発明の実施の形態３に従うＣＰＵ１のフリップ開閉動作時における動作を説明するフローチャートである。
【００５３】
図８を参照して、フリップの開動作もしくは閉動作が検知されると（ステップＳ１５０）、ＣＰＵ１は、フリップ音ＯＦＦモードが設定されているかどうかを確認する（ステップＳ４００）。フリップ音ＯＦＦモードが設定されている場合には、フリップ音を発生することなく、ＣＰＵ１の動作は終了する。次に、ＣＰＵ１は、ＯＮ／ＯＦＦ設定について強制ＯＮモードが選択されているかどうかを確認する（ステップＳ４１０）。
【００５４】
強制ＯＮモードが選択されていない場合においては、自動ＯＮモードが選択されていることになるから、携帯電話機の動作モードがマナーモード等の特定動作モードに設定されているかどうかを確認する（ステップＳ４２０）。この結果、マナーモード等が設定されてユーザが無用な音を外部に発生したくない場合には、フリップ音を発生することなくＣＰＵ１の動作は終了する。強制ＯＮモードが選択されている場合、ならびに自動ＯＮモードが選択されており、かつ特定動作モードが設定されていない場合には、フリップ音を発生するためのステップがさらに続けて実行される。
【００５５】
ＣＰＵ１は、フリップ音モード設定機能において選択されたモード設定に応じた動作を実行するために、モード設定において効果音モードが設定されているかどうかを確認する（ステップＳ４３０）。効果音モードが選択されている場合においては、図４に示されるステップ群Ｓ２００を実行することによって、ユーザ指定の効果音データを出力する。
【００５６】
一方、モード設定において機能モードが指定されている場合には、指定された機能モードを実行するためのステップが実行される。機能モードとしてアラーム機能のうちの１つが選択されている場合には、図５に示されるステップ群Ｓ２５０が実行される。また、情報通知機能のうちの現在時刻通知機能が選択されている場合には、ＣＰＵ１は計時部１３によって現在時刻を検知し、現在時刻をフリップ音として出力するための現在時刻データを生成する（ステップＳ４５０）。あるいは、通話時間通知機能が選択されている場合には、フリップ閉動作に応答して計時部１３から通話時間を検知し、ＣＰＵ１は通話時間をフリップ音として出力するための通話時間データを生成する（ステップＳ４６０）。
【００５７】
このように、ユーザによるモード設定に応じて、ＣＰＵ１によって選択的に出力されたデータは、実施の形態１の場合と同様に、音声出力部６に送出されて、フリップ音が発生される。
【００５８】
このような構成とすることにより、フリップ開動作およびフリップ閉動作に応答したフリップ音の発生を、図６に示されたようなフリップ音モードを階層的に設定されたモードに応じて行なうことができる。
【００５９】
なお、実施の形態１から３においては、フリップ部２０を備える携帯電話機に本願発明を適用する構成を示したが、本願発明は、図９に示されるような折りたたみ式の携帯電話機１１０に対しても適用することができる。図９には、一例として二つ折り式の携帯電話機の外観が示される。
【００６０】
図９を参照して、携帯電話機１１０は、回転部によって接合された本体部と蓋部１２０とによって構成され、両者は携帯時において、２つに折りたためる構成となっている。このような構成に対しても、図１に示したフリップ開閉検出スイッチ用突起部２１およびフリップ開閉検出スイッチ２２にそれぞれ対応する蓋部開閉検出スイッチ用突起部１２１と蓋部開閉検出スイッチ１２２とを設け、蓋部の開動作および閉動作に応答して電気信号を生成する構成とすれば、実施の形態１から実施の形態３で説明したのと同様の構成を適用することが可能である。
【００６１】
さらに、２以上の複数個の部分に分割された折りたたみ式の携帯電話機についても、分割された部分のうちの一つを蓋部とみなして、当該部分の開閉を検知する機構を設けることにより、本願発明を適用することができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】図１は、本発明の実施の形態に従う無線電話装置である携帯電話機１００の外観を示す概略図である。
【図２】携帯電話装置１００の構成を示す概略ブロック図である。
【図３】フリップ音指定機能を説明するフローチャートである。
【図４】フリップ開閉動作時におけるＣＰＵ１の動作を説明するフローチャートである。
【図５】本発明の実施の形態２に従うＣＰＵ１のフリップ開閉動作時における動作を説明するフローチャートである。
【図６】フリップ開閉動作時におけるフリップ音モード設定機能の構成の一例を示す概念図である。
【図７】フリップ音モード設定機能を説明するためのフローチャートである。
【図８】本発明の実施の形態３に従うＣＰＵ１のフリップ開閉動作時における動作を説明するフローチャートである。
【図９】折りたたみ式の携帯電話機１１０の外観を示す概略図である。
【符号の説明】
【００６４】
１  ＣＰＵ、２  フリップ音設定部、３  ＲＡＭ、３ａ  ワークメモリ、３ｂ  不揮発メモリ、８  表示部、９  ＲＯＭ、１０  操作部、１１  フリップ開閉検出部、１２  電池電圧検出部、ＣＬ  電池、１３  掲示部、２０  フリップ部、２１  フリップ開閉検出スイッチ用突起部、２２  フリップ開閉検出スイッチ、１２０  蓋部、１２１  蓋部開閉検出スイッチ用突起部、１２２  蓋部開閉検出スイッチ。
【図１】
2006148983.tif 000003
【図２】
2006148983.tif 000004
【図３】
2006148983.tif 000005
【図４】
2006148983.tif 000006
【図５】
2006148983.tif 000007
【図６】
2006148983.tif 000008
【図７】
2006148983.tif 000009
【図８】
2006148983.tif 000010
【図９】
2006148983.tif 000011